【手続補正書】
【提出日】平成26年12月19日(2014.12.19)
【手続補正１】
【補正対象書類名】特許請求の範囲
【補正対象項目名】全文
【補正方法】変更
【補正の内容】
【特許請求の範囲】
【請求項１】
紙文書をスキャンすることで電子画像データを生成する画像処理装置と、前記電子画像データをレコードごとに記憶するためのデータベースを記憶する記憶手段を備えるサーバ装置とを含む情報処理システムであって、
前記サーバ装置は、
前記データベースのレコードに対する所定の情報の登録要求を受け付ける登録要求受付手段と、
前記登録要求受付手段で登録要求がなされたレコードに対応付ける電子画像データを前記画像処理装置で生成するために用いられるスキャンチケットを、前記レコードごとに生成するスキャンチケット生成手段と、
前記スキャンチケット生成手段で生成されたスキャンチケットを前記画像処理装置に送信するスキャンチケット送信手段と、
前記スキャンチケット送信手段で送信されたスキャンチケットを用いて生成された電子画像データを、当該スキャンチケットに対応する前記レコードに対応づけて前記記憶手段に保存する保存手段と
を備え、
前記画像処理装置は、
前記サーバ装置から送信されたスキャンチケットを受信するスキャンチケット受信手段と、
前記スキャンチケット受信手段で受信したスキャンチケットを用いて、紙文書のスキャンを制御するスキャン制御手段と、
前記スキャン制御手段に応じて生成される電子画像データを前記サーバ装置に送信する電子画像データ送信手段と
を備え、
前記スキャンチケット生成手段は、前記登録要求受付手段で受け付けた登録要求に応じて前記レコードの更新がなされる場合には、前記スキャンチケットを生成せず、前記登録要求受付手段で受け付けた登録要求に応じて新たなレコードが追加される場合には、前記スキャンチケットを生成することを特徴とする情報処理システム。
【請求項２】
前記情報処理システムは、撮影により生成される撮影画像データを前記サーバ装置に送信可能な携帯端末を更に含み、
前記登録要求受付手段は、前記データベースのレコードに対する撮影画像データの登録要求を前記携帯端末から受け付け、
前記スキャンチケット生成手段は、前記登録要求受付手段で前記携帯端末から受け付けた登録要求に応じて、前記スキャンチケットを前記レコードごとに生成することを特徴とする請求項１に記載の情報処理システム。
【請求項３】
前記携帯端末は、当該携帯端末の位置情報を取得する位置情報取得手段を更に備え、
前記保存手段は、更に前記位置情報取得手段で取得した位置情報を前記レコードと対応づけて保存することを特徴とする請求項２に記載の情報処理システム。
【請求項４】
前記電子画像データ送信手段は、前記スキャン制御手段に応じて生成される電子画像データと、更に前記紙文書の種別を示す情報とを前記サーバ装置に送信し、
前記保存手段は、前記画像処理装置から送信された前記電子画像データと前記紙文書の種別を示す情報とを、当該スキャンチケットに対応する前記レコードに対応づけて前記記憶手段に保存することを特徴とする請求項１乃至３のいずれか１項に記載の情報処理システム。
【請求項５】
前記画像処理装置は、
前記スキャンチケット受信手段で受信したスキャンチケットと前記紙文書の種別を示す情報との選択を受け付ける画面を表示するよう制御する表示制御手段を更に備え、
前記電子画像データ送信手段は、前記スキャン制御手段に応じて生成される電子画像データと、前記表示制御手段で表示された画面において選択を受け付けた前記紙文書の種別を示す情報とを前記サーバ装置に送信することを特徴とする請求項４に記載の情報処理システム。
【請求項６】
紙文書をスキャンすることで電子画像データを生成する画像処理装置と、前記電子画像データをレコードごとに記憶するためのデータベースを記憶する記憶手段を備えるサーバ装置とを含む情報処理システムの制御方法であって、
前記サーバ装置の登録要求受付手段が、前記データベースのレコードに対する所定の情報の登録要求を受け付ける登録要求受付ステップと、
前記サーバ装置のスキャンチケット生成手段が、前記登録要求受付ステップで登録要求がなされたレコードに対応付ける電子画像データを前記画像処理装置で生成するために用いられるスキャンチケットを、前記レコードごとに生成するスキャンチケット生成ステップと、
前記サーバ装置のスキャンチケット送信手段が、前記スキャンチケット生成ステップで生成されたスキャンチケットを前記画像処理装置に送信するスキャンチケット送信ステップと、
前記画像処理装置のスキャンチケット受信手段が、前記サーバ装置から送信されたスキャンチケットを受信するスキャンチケット受信ステップと、
前記画像処理装置のスキャン制御手段が、前記スキャンチケット受信ステップで受信したスキャンチケットを用いて、紙文書のスキャンを制御するスキャン制御ステップと、
前記画像処理装置の電子画像データ送信手段が、前記スキャン制御ステップに応じて生成される電子画像データを前記サーバ装置に送信する電子画像データ送信ステップと、
前記サーバ装置の保存手段が、前記スキャンチケット送信ステップで送信されたスキャンチケットを用いて生成された電子画像データを、当該スキャンチケットに対応する前記レコードに対応づけて前記記憶手段に保存する保存ステップと
を備え、
前記スキャンチケット生成ステップは、前記登録要求受付ステップで受け付けた登録要求に応じて前記レコードの更新がなされる場合には、前記スキャンチケットを生成せず、前記登録要求受付ステップで受け付けた登録要求に応じて新たなレコードが追加される場合には、前記スキャンチケットを生成することを特徴とする情報処理システムの制御方法。
【請求項７】
紙文書をスキャンすることで電子画像データを生成する画像処理装置と、前記電子画像データをレコードごとに記憶するためのデータベースを記憶する記憶手段を備えるサーバ装置とを含む情報処理システムの制御方法を実行可能なプログラムであって、
前記サーバ装置を、
前記データベースのレコードに対する所定の情報の登録要求を受け付ける登録要求受付手段と、
前記登録要求受付手段で登録要求がなされたレコードに対応付ける電子画像データを前記画像処理装置で生成するために用いられるスキャンチケットを、前記レコードごとに生成するスキャンチケット生成手段と、
前記スキャンチケット生成手段で生成されたスキャンチケットを前記画像処理装置に送信するスキャンチケット送信手段と、
前記スキャンチケット送信手段で送信されたスキャンチケットを用いて生成された電子画像データを、当該スキャンチケットに対応する前記レコードに対応づけて前記記憶手段に保存する保存手段
として機能させ、
前記画像処理装置を、
前記サーバ装置から送信されたスキャンチケットを受信するスキャンチケット受信手段と、
前記スキャンチケット受信手段で受信したスキャンチケットを用いて、紙文書のスキャンを制御するスキャン制御手段と、
前記スキャン制御手段に応じて生成される電子画像データを前記サーバ装置に送信する電子画像データ送信手段
として機能させ、
前記スキャンチケット生成手段は、前記登録要求受付手段で受け付けた登録要求に応じて前記レコードの更新がなされる場合には、前記スキャンチケットを生成せず、前記登録要求受付手段で受け付けた登録要求に応じて新たなレコードが追加される場合には、前記スキャンチケットを生成することを特徴とするプログラム。
【請求項８】
電子画像データを生成するために用いられるスキャンチケットであって、サーバ装置から送信されたスキャンチケットを受信するスキャンチケット受信手段と、
前記スキャンチケット受信手段で受信したスキャンチケットを用いて、紙文書のスキャンを制御するスキャン制御手段と、
前記スキャン制御手段に応じて生成される電子画像データを前記サーバ装置に送信する電子画像データ送信手段と
を備える画像処理装置と通信可能に接続され、
前記電子画像データをレコードごとに記憶するためのデータベースを記憶する記憶手段
を備えるサーバ装置であって、
前記データベースのレコードに対する所定の情報の登録要求を受け付ける登録要求受付手段と、
前記登録要求受付手段で登録要求がなされたレコードに対応付ける電子画像データを前記画像処理装置で生成するために用いられるスキャンチケットを、前記レコードごとに生成するスキャンチケット生成手段と、
前記スキャンチケット生成手段で生成されたスキャンチケットを前記画像処理装置に送信するスキャンチケット送信手段と
前記スキャンチケット送信手段で送信されたスキャンチケットを用いて生成された電子画像データを、当該スキャンチケットに対応する前記レコードに対応づけて前記記憶手段に保存する保存手段と
を備え、
前記スキャンチケット生成手段は、前記登録要求受付手段で受け付けた登録要求に応じて前記レコードの更新がなされる場合には、前記スキャンチケットを生成せず、前記登録要求受付手段で受け付けた登録要求に応じて新たなレコードが追加される場合には、前記スキャンチケットを生成することを特徴とするサーバ装置。
【請求項９】
電子画像データを生成するために用いられるスキャンチケットであって、サーバ装置から送信されたスキャンチケットを受信するスキャンチケット受信手段と、
前記スキャンチケット受信手段で受信したスキャンチケットを用いて、紙文書のスキャンを制御するスキャン制御手段と、
前記スキャン制御手段に応じて生成される電子画像データを前記サーバ装置に送信する電子画像データ送信手段と
を備える画像処理装置と通信可能に接続され、
前記電子画像データをレコードごとに記憶するためのデータベースを記憶する記憶手段
を備えるサーバ装置の制御方法であって、
前記サーバ装置の登録要求受付手段が、前記データベースのレコードに対する所定の情報の登録要求を受け付ける登録要求受付ステップと、
前記サーバ装置のスキャンチケット生成手段が、前記登録要求受付ステップで登録要求がなされたレコードに対応付ける電子画像データを前記画像処理装置で生成するために用いられるスキャンチケットを、前記レコードごとに生成するスキャンチケット生成ステップと、
前記サーバ装置のスキャンチケット送信手段が、前記スキャンチケット生成ステップで生成されたスキャンチケットを前記画像処理装置に送信するスキャンチケット送信ステップと、
前記サーバ装置の保存手段が、前記スキャンチケット送信ステップで送信されたスキャンチケットを用いて生成された電子画像データを、当該スキャンチケットに対応する前記レコードに対応づけて前記記憶手段に保存する保存ステップと
を備え、
前記スキャンチケット生成ステップは、前記登録要求受付ステップで受け付けた登録要求に応じて前記レコードの更新がなされる場合には、前記スキャンチケットを生成せず、前記登録要求受付ステップで受け付けた登録要求に応じて新たなレコードが追加される場合には、前記スキャンチケットを生成することを特徴とするサーバ装置の制御方法。
【請求項１０】
電子画像データを生成するために用いられるスキャンチケットであって、サーバ装置から送信されたスキャンチケットを受信するスキャンチケット受信手段と、
前記スキャンチケット受信手段で受信したスキャンチケットを用いて、紙文書のスキャンを制御するスキャン制御手段と、
前記スキャン制御手段に応じて生成される電子画像データを前記サーバ装置に送信する電子画像データ送信手段と
を備える画像処理装置と通信可能に接続され、
前記電子画像データをレコードごとに記憶するためのデータベースを記憶する記憶手段
を備えるサーバ装置の制御方法を実行可能なプログラムであって、
前記サーバ装置を、
前記データベースのレコードに対する所定の情報の登録要求を受け付ける登録要求受付手段と、
前記登録要求受付手段で登録要求がなされたレコードに対応付ける電子画像データを前記画像処理装置で生成するために用いられるスキャンチケットを、前記レコードごとに生成するスキャンチケット生成手段と、
前記スキャンチケット生成手段で生成されたスキャンチケットを前記画像処理装置に送信するスキャンチケット送信手段と
前記スキャンチケット送信手段で送信されたスキャンチケットを用いて生成された電子画像データを、当該スキャンチケットに対応する前記レコードに対応づけて前記記憶手段に保存する保存手段
として機能させ、
前記スキャンチケット生成手段は、前記登録要求受付手段で受け付けた登録要求に応じて前記レコードの更新がなされる場合には、前記スキャンチケットを生成せず、前記登録要求受付手段で受け付けた登録要求に応じて新たなレコードが追加される場合には、前記スキャンチケットを生成することを特徴とするプログラム。
【手続補正２】
【補正対象書類名】明細書
【補正対象項目名】発明の名称
【補正方法】変更
【補正の内容】
【発明の名称】情報処理システム、サーバ装置、その制御方法、及びプログラム
【手続補正３】
【補正対象書類名】明細書
【補正対象項目名】０００７
【補正方法】変更
【補正の内容】
【０００７】
そこで本発明は、紙文書をスキャンするために用いられるスキャンチケットの不要な生成を防止することの可能な仕組みを提供することを目的とする。
【手続補正４】
【補正対象書類名】明細書
【補正対象項目名】０００８
【補正方法】変更
【補正の内容】
【０００８】
上記した目的を達成するために、本発明の情報処理システムは、紙文書をスキャンすることで電子画像データを生成する画像処理装置と、前記電子画像データをレコードごとに記憶するためのデータベースを記憶する記憶手段を備えるサーバ装置とを含む情報処理システムであって、前記サーバ装置は、前記データベースのレコードに対する所定の情報の登録要求を受け付ける登録要求受付手段と、前記登録要求受付手段で登録要求がなされたレコードに対応付ける電子画像データを前記画像処理装置で生成するために用いられるスキャンチケットを、前記レコードごとに生成するスキャンチケット生成手段と、前記スキャンチケット生成手段で生成されたスキャンチケットを前記画像処理装置に送信するスキャンチケット送信手段と、前記スキャンチケット送信手段で送信されたスキャンチケットを用いて生成された電子画像データを、当該スキャンチケットに対応する前記レコードに対応づけて前記記憶手段に保存する保存手段とを備え、前記画像処理装置は、前記サーバ装置から送信されたスキャンチケットを受信するスキャンチケット受信手段と、前記スキャンチケット受信手段で受信したスキャンチケットを用いて、紙文書のスキャンを制御するスキャン制御手段と、前記スキャン制御手段に応じて生成される電子画像データを前記サーバ装置に送信する電子画像データ送信手段とを備え、前記スキャンチケット生成手段は、前記登録要求受付手段で受け付けた登録要求に応じて前記レコードの更新がなされる場合には、前記スキャンチケットを生成せず、前記登録要求受付手段で受け付けた登録要求に応じて新たなレコードが追加される場合には、前記スキャンチケットを生成することを特徴とする。
【手続補正５】
【補正対象書類名】明細書
【補正対象項目名】０００９
【補正方法】変更
【補正の内容】
【０００９】
上記した目的を達成するために、本発明のサーバ装置は、電子画像データを生成するために用いられるスキャンチケットであって、サーバ装置から送信されたスキャンチケットを受信するスキャンチケット受信手段と、前記スキャンチケット受信手段で受信したスキャンチケットを用いて、紙文書のスキャンを制御するスキャン制御手段と、前記スキャン制御手段に応じて生成される電子画像データを前記サーバ装置に送信する電子画像データ送信手段とを備える画像処理装置と通信可能に接続され、前記電子画像データをレコードごとに記憶するためのデータベースを記憶する記憶手段を備えるサーバ装置であって、前記データベースのレコードに対する所定の情報の登録要求を受け付ける登録要求受付手段と、前記登録要求受付手段で登録要求がなされたレコードに対応付ける電子画像データを前記画像処理装置で生成するために用いられるスキャンチケットを、前記レコードごとに生成するスキャンチケット生成手段と、前記スキャンチケット生成手段で生成されたスキャンチケットを前記画像処理装置に送信するスキャンチケット送信手段と前記スキャンチケット送信手段で送信されたスキャンチケットを用いて生成された電子画像データを、当該スキャンチケットに対応する前記レコードに対応づけて前記記憶手段に保存する保存手段とを備え、前記スキャンチケット生成手段は、前記登録要求受付手段で受け付けた登録要求に応じて前記レコードの更新がなされる場合には、前記スキャンチケットを生成せず、前記登録要求受付手段で受け付けた登録要求に応じて新たなレコードが追加される場合には、前記スキャンチケットを生成することを特徴とする。

【手続補正６】
【補正対象書類名】明細書
【補正対象項目名】００１０
【補正方法】変更
【補正の内容】
【００１０】
本発明によれば、紙文書をスキャンするために用いられるスキャンチケットの不要な生成を防止することが出来る。